(57)【特許請求の範囲】
【請求項１】
電話機及び異常を検出する各種センサが接続され、音声制御部及び前記各センサ毎に通報先電話番号を登録した通報先リストを有する制御部を具備し、異常発生時、前記センサが異常を検出したら前記制御部は前記音声制御部を駆動し、通信回線や電話網を介して前記通報先リストに登録されている通報先へ該音声制御部から異常情報を通報するように構成した通報装置において、
着信時に相手の電話番号を検出する相手電話番号検出部と、前記電話機発信時のダイヤル信号で相手の電話番号を検出するダイヤル検出部を設け、
前記着信又は発信による前記電話機で通話中に前記センサが異常を検出し異常情報を通報する場合、前記制御部は前記相手電話番号検出部又は前記ダイヤル検出部で検出した現在通話中の相手電話番号と前記通報先リストに登録されている前記異常を検出したセンサの通報先の電話番号を比較し、現在の通話中の相手電話番号が該異常を検出したセンサの通報先の電話番号と一致する場合は前記音声制御部からの異常通報を保留し前記電話機による現在の通話を継続させ、一致しない場合は前記電話機による現在の通話を強制的に終了させ前記音声制御部から異常情報を通報する異常通報に切り替えることを特徴とする通報装置。
【請求項２】
請求項１に記載の通報装置において、
前記電話機設置場所から表示内容を確認できる場所に表示器を設け、前記制御部は前記音声制御部から異常情報を通報する異常通報を保留し前記電話機による現在の通話を継続させる場合、前記表示器に異常発生を表示することを特徴とする通報装置。
【請求項３】
請求項１に記載の通報装置において、
前記通報装置の出力部と前記音声制御部の出力部を高インピーダンスで接続し、前記制御部は前記音声制御部から異常情報を通報する異常通報を保留し前記電話機による現在の通話を継続させる場合、該音声制御部から出力される異常情報を該高インピーダンスを通して通話信号に重畳することを特徴とする通報装置。
【発明の詳細な説明】
【０００１】
【発明の属する技術分野】
本発明は電話機及び各種センサが接続され、通信回線や電話網を使用して所定の通報先に通話または異常通報を行なう通報装置に関するものである。
【０００２】
【従来の技術】
図４は従来のこの種の通報装置の構成例を示す図である。図示するように、従来の通報装置１はセンサインタフェース１−１、ネットワークインタフェース１−２、音声制御部１−３、制御部１−４、切替スイッチ１−５及び通話電流検出部１−６を具備する構成である。切替スイッチ１−５には電話機２が接続され、制御部１−４にはセンサインタフェース１−１を介して種々のセンサ３が接続され、電話機２から通信回線や電話網５を介して通話ができ、異常等の通報要因発生時にはそれをセンサ３にて検知し、それを制御部１−４に出力することにより、音声制御部１−３から所定の通報先へ異常情報を自動的に通報できるようになっている。
【０００３】
制御部１−４はプログラム等を格納するＲＯＭ（リードオンリーメモリ）１−４−１及び情報等を格納するＲＡＭ（ランダムアクセスメモリ）１−４−２の記憶部を有し、センサインタフェース１−１を介して各種センサ３に接続されている。通報要因発生時、制御部１−４は所定のセンサ３より検出信号を受信すると、切替スイッチ１−５を電話機２側からネットワークインタフェース１−２側に切り替え、所定のダイヤル信号を発信し、所定の通報先と接続し、音声制御部１−３を駆動し、電話網５へ音声により情報を出力し所定の通報先へ通報する。以下、その動作を説明する。
【０００４】
図５は従来の通報装置の動作フローを示す図である。予め、ＲＡＭ１−４−２には、図６に示すような通報先リストが用意され、その他に電話機２の通話とセンサ３からの通報の何れを優先するかを決める優先設定がされている。通報要因が発生するとセンサ３のいずれかがそれを検出し、制御部１−４に出力し、制御部１−４は通話電流検出部１−６の出力信号をチェックし、電話機２が現在通話中であるか否かを判定し（ステップＳＴ２１）、通話中でなければステップＳＴ２５に移行し、音声制御部１−３を駆動し、異常情報を送信する通報処理を行なう。
【０００５】
通話中であれば優先設定をチェックし（ステップＳＴ２２）、センサ３による通報が優先として設定してあれば、切替スイッチ１−５を電話機２側からネットワークインタフェース１−２に切り替え（ステップＳＴ２３）、音声制御部１−３を駆動し、異常情報を送信する通報処理を行う（ステップＳＴ２５）。電話機２の通話が優先として設定してあれば異常情報の送信を保留し（ステップＳＴ２４）終了する。この場合は電話機２の通話が終了後に通報処理される。
【０００６】
【発明が解決しようとする課題】
上記従来の通報装置では、電話機２で通話中に通報要因が発生した場合、電話機２の通話を切断して通報を行うか、電話機の通話が終了するまで通報を保留するしかなかった。電話機２の設置場所から異常の状態が分からない場合は、通常通報を優先させて電話機２の通話を切断することが有効と思われる。しかしながら、異常の予防的対応を行っている関係者に連絡を取っている場合は電話機２の通話を優先した方が便利で、通話を切断することが不都合なこともある。また、関連施設の設置工事中に確認作業を行なっている場合等は通話を優先した方が便利で有効であり、一律に優先順位を設定できないという問題があった。
【０００７】
本発明は上述の点に鑑みてなされたもので、上記問題点を除去するために電話通話中に異常事態が発生した場合、通話相手によって電話通話と異常通報の優先順位を適切に切替処理することができる通報装置を提供することを目的とする。
【０００８】
【課題を解決するための手段】
上記課題を解決するため請求項１に記載の発明は、電話機及び異常を検出する各種センサが接続され、音声制御部及び各センサ毎に通報先電話番号を登録した通報先リストを有する制御部を具備し、異常発生時、前記センサが異常を検出したら制御部は音声制御部を駆動し、通信回線や電話網を介して通報先リストに登録されている通報先へ該音声制御部から異常情報を通報するように構成した通報装置において、着信時に相手の電話番号を検出する相手電話番号検出部と、前記電話機発信時のダイヤル信号で相手の電話番号を検出するダイヤル検出部を設け、着信又は発信による電話機で通話中にセンサが異常を検出し異常情報を通報する場合、制御部は前記相手電話番号検出部又は前記ダイヤル検出部で検出した現在通話中の相手電話番号と前記通報先リストに登録されている前記異常を検出したセンサの通報先の電話番号を比較し、現在の通話中の相手電話番号が該異常を検出したセンサの通報先の電話番号と一致する場合は音声制御部からの異常通報を保留し電話機による現在の通話を継続させ、一致しない場合は電話機による現在の通話を強制的に終了させ音声制御部から異常情報を通報する異常通報に切り替えることを特徴とする。
【０００９】
また、請求項２に記載の発明は、請求項１に記載の通報装置において、電話機設置場所から表示内容を確認できる場所に表示器を設け、制御部は音声制御部から異常情報を通報する異常通報を保留し電話機による現在の通話を継続させる場合、表示器に異常発生を表示することを特徴とする。
【００１０】
また、請求項３に記載の発明は、請求項１に記載の発明において、請求項１に記載の通報装置において、通報装置の出力部と音声制御部の出力部を高インピーダンスで接続し、制御部は音声制御部から異常情報を通報する異常通報を保留し電話機による現在の通話を継続させる場合、該音声制御部から出力される異常情報を該高インピーダンスを通して通話信号に重畳することを特徴とする。
【００１１】
【発明の実施の形態】
以下、本発明の実施の形態例を図面に基づいて詳細に説明する。
〔実施の形態例１〕
図１は本発明の通報装置の構成例を示す図である。図示するように、本通報装置１０は、図４に示す従来の通報装置１にダイヤル検出部１−７及び相手番号検出部１−８を追加し、現在通話中の相手番号と異常時の通報先の相手番号を比較する手段を設けたものである（詳細後述）。その他の構成は従来と同じなのでここでの説明は省略する。
【００１２】
ダイヤル検出部１−７は回線の電圧又は電流を監視しＤＰダイヤルを検出する部分とＤＴＭＦダイヤル検出部からなり（図では省略）、電話機２からダイヤル発信した際の番号（即ち、相手番号）を検出するものである。また、相手番号検出部１−８は通信回線や電話網５から着信時に相手の番号を検出するものである。
【００１３】
図２は本発明の通報装置の動作フローを示す図である。同図に従って動作を説明する。予め、ＲＡＭ１−４−２には図６に示すような異常発生時の通報先リストが格納されている。通常状態で電話機２からダイヤル発信した際、相手電話番号はダイヤル検出部１−７で検出され、通信回線や電話網５から着信時は相手電話番号は相手番号検出部１−８で検出されてＲＡＭ１−４−２に設けられた相手電話番号格納場所に格納されている。
【００１４】
通報要因が発生し、センサ３のいずれかがそれを検出して制御部１−４に出力すると、制御部１−４は通話電流検出部１−６の出力信号をチェックし、電話機２が現在通話中か否かを判定し（ステップＳＴ１１）、通話中でなければステップＳＴ１５に移行して通報処理を行なう。
【００１５】
現在、通話中であれば前記通報先リスト（図６参照）をチェックし、該センサ３の通報先の電話番号と現在通話中の相手電話番号を比較し（ステップＳＴ１２）、異なっている場合は現在の通話を強制的に終了させ、切替スイッチ１−５をネットワークインタフェース１−２側に切り替える（ステップＳＴ１３）。続いて、該センサ３の通報先の電話番号を発信して該通報先と回線を接続し、音声制御部１−３を駆動させ、通報情報を送出し、通報処理を行う（ステップＳＴ１５）。該センサ３の通報先の電話番号と現在通話中の相手先の電話番号が同じであれば通報を保留し（ステップＳＴ１４）終了する。この場合は電話機２の通話が終了後に通報処理される。
【００１６】
以上述べたように本発明の実施例によれば、電話通話中にセンサ３が異常を検知した場合、通報リストの登録を参照し、該センサ３に対応する通報先が現在通話中の相手であればそのまま通話を継続し、その他の場合は異常通報を優先処理するので、従来のように一律に優先設定をしなくてすむので使い勝手がよくなる。特に、関連施設の設置工事中に通報相手先と確認作業を行なう場合は好都合である。
【００１７】
〔実施の形態例２〕
図３は本発明の通報装置の構成例を示す図である。図示するように、本通報装置２０は図１に示す通報装置１０に表示器４及び高抵抗値の抵抗器１−９を追加したもので、その他は図１と同じなので説明は省略する。
【００１８】
表示器４は電話機２の設置場所から容易に見られる場所に設置し、電話機２で通話中に異常が発生しセンサ３が作動した場合に、該表示器４に表示し電話使用者に異常発生を知らせるものである。また、高抵抗値の抵抗器１−９は音声制御部１−３と通報装置２０の出力部の間に接続されている。これにより通報が保留されたとき（図２のステップＳＴ１４）、電話通話に異常情報の通報内容を重畳させて使用者に知らせることができる。
【００１９】
以上述べたように本発明の実施例によれば通報リストの関係者と通話中に異常発生した場合、表示器４に表示させ、更に異常情報を通話に重畳させて聞かせることができるので、使用者は異常発生を容易に確認することができ、安心して電話通話をすることができる。
【００２０】
【発明の効果】
以上説明したように各請求項に記載の発明によれば、下記のような優れた効果が期待できる。
【００２１】
請求項１記載の発明によれば、着信時に相手の電話番号を検出する相手電話番号検出部と、前記電話機発信時のダイヤル信号で相手の電話番号を検出するダイヤル検出部を設け、着信又は発信による電話機で通話中にセンサが異常を検出し異常情報を通報する場合、制御部は前記相手電話番号検出部又は前記ダイヤル検出部で検出した現在通話中の相手電話番号と前記通報先リストに登録されている前記異常を検出したセンサの通報先の電話番号を比較し、現在の通話中の相手電話番号が該異常を検出したセンサの通報先の電話番号と一致する場合は音声制御部からの異常通報を保留し電話機による現在の通話を継続させ、一致しない場合は電話機による現在の通話を強制的に終了させ音声制御部から異常情報を通報する異常通報に切り替えるので、従来のように一律に優先設定をしなくて済み使い勝手がよくなる。特に、関連施設の設置工事中に確認作業を行う場合は好都合である。
【００２２】
請求項２に記載の発明によれば、電話機設置場所から表示内容を確認できる場所に表示器を設け、制御部は音声制御部から異常情報を通報する異常通報を保留し電話機による現在の通話を継続させる場合、表示器に異常発生を表示するので、使用者は異常発生を容易に確認することができ安心して電話通話をすることができる。
【００２３】
請求項３に記載の発明によれば、通報装置の出力部と前記音声制御部の出力部を高インピーダンスで接続し、制御部は音声制御部から異常情報を通報する異常通報を保留し電話機による現在の通話を継続させる場合、該音声制御部から出力される異常情報を該高インピーダンスを通して通話信号に重畳するので、使用者は異常発生を容易に確認することができ安心して電話通話をすることができる。
【図面の簡単な説明】
【図１】本発明の通報装置の構成例を示す図である。
【図２】本発明の通報装置の動作フローを示す図である。
【図３】本発明の通報装置の構成例を示す図である。
【図４】従来の通報装置の構成例を示す図である。
【図５】従来の通報装置の動作フローを示す図である。
【図６】優先設定と通報先リストの例を示す図である。
【符号の説明】
１          通報装置
１−１      センサインタフェース
１−２      ネットワークインタフェース
１−３      音声制御部
１−４      制御部
１−４−１  ＲＯＭ（リードオンリーメモリ）
１−４−２  ＲＡＭ（ランダムアクセスメモリ）
１−５      切替スイッチ
１−６      通話電流検出部
１−７      ダイヤル検出部
１−８      相手番号検出部
１−９      抵抗器
２          電話機
３          センサ
４          表示器
５          通信回線や電話網
１０          通報装置
２０          通報装置
【図１】
0003847449.tif 000002
【図２】
0003847449.tif 000003
【図３】
0003847449.tif 000004
【図４】
0003847449.tif 000005
【図５】
0003847449.tif 000006
【図６】
0003847449.tif 000007